(57)【要約】【課題】  掛布団とうの一部の側面の部分を汚した場合に、簡易に一部の側面の掛布団とうを着脱して家庭内の洗濯機とうを用いても容易に洗う事が出来る着脱形掛布団又は布団用カバー及びテーブルカバーを提供する。【解決手段】  天板掛布団表地に巾側面フック掛部と長側面フック掛部を設け、天板掛布団表地のフック掛部に巾側面着脱掛布団表地並びに長側面着脱掛布団表地を係止するように装着したことを特徴とする着脱形掛布団又は布団用カバー及びテーブルカバーである。【選択図】    図１
0003121253.tif 000002
【実用新案登録請求の範囲】
【請求項１】
天板掛布団表地に巾側面フック掛部と長側面フック掛部を設け、巾側面着脱掛布団表地の上部の左右角部面に面ファスナーを左右に設け、巾側面着脱掛布団表地の上部の箇所にゴム通し縫袋部を設け、ゴム通し縫袋部の中に平ゴムを通し、平ゴムの左右を縫止めするように設け、巾側面着脱掛布団裏地に複数のフック差込み止袋を設け、フック差込み止袋に複数のフックを嵌入するように設け、長側面着脱掛布団表地の上部の箇所にゴム通し縫袋部を設け、ゴム通し縫袋部の中に平ゴムを通し、平ゴムの左右を縫止めするように設け、長側面着脱掛布団裏地の上部の左右角部面に面ファスナーを左右に設け、長側面着脱掛布団裏地に複数のフック差込み止袋を設け、フック差込み止袋に複数のフックを嵌入するように設け、天板掛布団表地に設けた左右の巾側面フック掛部に巾側面着脱掛布団裏地に取り付けた複数のフックを巾側面フック掛部に挿着するように設け、天板掛布団表地に設けた上下の長側面フック掛部長側面着脱掛布団裏地に取り付けた複数のフックを長側面フック掛部に挿着するように設け、巾側面着脱掛布団表地に設けた左右の面ファスナーに長側面着脱掛布団裏地に設けた左右の面ファスナーを係止させ、天板掛布団表地に巾側面着脱掛布団表地と長側面着脱掛布団表地を保持するように設け、天板掛布団表地に巾側面着脱掛布団表地と長側面着脱掛布団表地を設けた後に、巾側面着脱掛布団表地と長側面着脱掛布団表地を面ファスナーによって係止させることにより掛布団とうの形状になる着脱形掛布団又は布団用カバー及びテーブルカバー。
【考案の詳細な説明】
【技術分野】
【０００１】  この考案は、炬燵やテーブルとうに使用して使われたときに、一部の側面の部分を汚した場合に、簡易に片側の汚れた面側の掛布団とうを着脱して家庭内の洗濯機とうを用いても容易に洗う事が出来る着脱形掛布団又は布団用カバー及びテーブルカバーに関するものである。
【背景技術】
【０００２】  従来は、掛布団全体を覆うカバーを掛けて、カバーのみを洗うことで、本体の布団とうが汚れにくくすることや、本体が汚れた場合は家庭の洗濯機には丸ごと入らない為に洗う事はできない、その為に掛布団全体を専門店に出して処理をした。
【考案の開示】
【考案が解決しようとする課題】
【０００３】  そのために次のような問題点があった。
炬燵やテーブルとうに掛布団とうの使用にあたっては上部の面にはテーブル板などがあり、布団とうの上部面は、液もの等をこぼした場合でも汚れにくく、汚れるところは四方の面に当る裾側の側面部が汚れ、又汚れるにあたっては、掛布団とう全部の面を汚す事は少なく、側面の一部分を汚すことが多い。本考案は以上の問題点を解決する為になされたものである。
【課題を解決するための手段】
【０００４】  天板掛布団表地に巾側面フック掛部と長側面フック掛部を設け、天板掛布団表地のフック掛部に巾側面着脱掛布団表地並びに長側面着脱掛布団表地を係止するように装着した着脱形掛布団又は布団用カバー及びテーブルカバーである。
【考案の効果】
【０００５】  四面の単独からなる着脱掛布団の構成から成る為に、汚れた側面着脱掛布団表地のみを天板掛布団表地から簡易に着脱できる。
【考案を実施するための最良の形態】
【０００６】  以下本考案の実施について説明する。
（イ）天板掛布団表地（１）に巾側面フック掛部（４）（４）と長側面フック掛部（５）（５）を設け、巾側面着脱掛布団表地（２）の上部の左右角部面に面ファスナー（６）（７）を左右に設け、巾側面着脱掛布団表地（２）の上部の箇所にゴム通し縫袋部（８）を設け、ゴム通し縫袋部（８）の中に平ゴム（１０）を通し、平ゴム（１０）の左右を縫止めするように設け巾側面着脱掛布団裏地（９）に複数のフック差込み止袋（１１）を設け、フック差込み止袋（１１）に複数のフック（１２）を嵌入するように設ける。
（ロ）長側面着脱掛布団表地（３）の上部の箇所にゴム通し縫袋部（１３）を設け、ゴム通し縫袋部（１３）の中に平ゴム（１５）を通し、平ゴム（１５）の左右を縫止めするように設け、長側面着脱掛布団裏地（１４）の上部の左右角部面に面ファスナー（１６）（１７）を左右に設け、長側面着脱掛布団裏地（１４）に複数のフック差込み止袋（１８）を設け、フック差込み止袋（１８）に複数のフック（１９）を嵌入するように設ける。
本考案は、以上の構造でこれを使用するときは、天板掛布団表地（１）に設けた左右の巾側面フック掛部（４）（４）に巾側面着脱掛布団裏地（２）（２）に取り付けた複数のフック（１２）を巾側面フック掛部（４）（４）に挿着するように設け、天板掛布団表地（１）に設けた左右の長側面着脱掛布団裏地（１４）に取り付けた複数のフック（１９）を長側面フック掛部（５）（５）に挿着するように設け、巾側面着脱掛布団表地（９）に設けた左右の面ファスナー（６）（７）に長側面着脱掛布団裏地（１４）に設けた左右の面ファスナー（１６）（１７）を係止させ、天板掛布団表地（１）に巾側面着脱掛布団表地（２）（２）と長側面着脱掛布団表地（３）（３）を保持するように設け、天板掛布団表地（１）に巾側面着脱掛布団表地（２）（２）と長側面着脱掛布団表地（３）（３）を設けた後に巾側面着脱掛布団表地（２）（２）と長側面着脱掛布団表地（３）（３）を面ファスナー（６）（７）（１６）（１７）によって係止させると着脱形掛布団又は布団用カバー及びテーブルカバーの一体化した掛布団とうの形状になり、側面単体着脱可能な着脱形掛布団又は布団用カバー及びテーブルカバーになる。
【図面の簡単な説明】
【０００７】
【図１】  本考案の実施例を示す斜視図
【図２】  本考案の分解状態を示す斜視図
【図３】  本考案の分解状態を示す斜視図
【図４】  本考案の拡大状態を示す斜視図
【図５】  本考案の分解状態を示す斜視図
【図６】  本考案の拡大状態を示す斜視図
【符号の説明】
【０００８】  １  天板掛布団表地
２  巾側面着脱掛布団表地
３  長側面着脱掛布団表地
４  巾側面フック掛部
５  長側面フック掛部
６  面ファスナー
７  面ファスナー
８  ゴム通し縫袋部
９  巾側面着脱掛布団裏地
１０  平ゴム
１１  フック差込み止袋
１２  フック
１３  ゴム通し縫袋部
１４  長側面着脱掛布団裏地
１５  平ゴム
１６  面ファスナー
１７  面ファスナー
１８  フック差込み止袋
１９  平ゴム
0003121253.tif 000003
【手続補正書】
【提出日】平成18年1月11日(2006.1.11)
【手続補正１】
【補正対象書類名】実用新案登録請求の範囲
【補正対象項目名】全文
【補正方法】変更
【補正の内容】
【実用新案登録請求の範囲】
【請求項１】
天板掛布団表地に巾側面ファスナー掛部と長側面ファスナー掛部を設け、巾側面着脱掛布団表地の側面外部にはみだすように左面ファスナーと右面ファスナーを設け、巾側面着脱掛布団表地の上部の箇所にゴム通し縫袋部を設け、ゴム通し縫袋部の中にゴムを設け巾側面着脱掛布団裏地の上部に巾側裏地面ファスナーを設け、長側面着脱掛布団表地の上部の箇所にゴム通し縫袋部を設け、ゴム通し縫袋部の中にゴム設け、長側面着脱掛布団裏地の側面内側に長側左面ファスナーと長側右面ファスナーを設け、長側面着脱掛布団裏地の上部に長側裏地面ファスナーを設け、天板掛布団表地の左右に設けた巾側面ファスナー掛部に巾側面着脱掛布団裏地の上部に設けた巾側裏地面ファスナーを係止させて巾側面着脱掛布団裏地を天板掛布団表地の左右に設け固定させ、天板掛布団表地に設けた長側面ファスナー掛部に長側面着脱掛布団裏地の上部に設けた長側裏地面ファスナーを係止させて長側面着脱掛布団裏地を天板掛布団表地の左右に設け固定させ、巾側面着脱掛布団表地の側面に設けられた左面ファスナーと右面ファスナーに長側面着脱掛布団裏地の側面に設けられた長側左面ファスナーと長側右面ファスナーを重着するように固定し、天板掛布団表地に面ファスナーにより巾側面着脱掛布団表地と長側面着脱掛布団表地を保持するように設け、天板掛布団表地に巾側面着脱掛布団表地と長側面着脱掛布団表地を設けた後に、巾側面着脱掛布団表地と長側面着脱掛布団表地を面ファスナーによって係止させることにより一体化した掛布団とうの形状になる着脱形掛布団又は布団用カバー及びテーブルカバー。
【手続補正２】
【補正対象書類名】明細書
【補正対象項目名】全文
【補正方法】変更
【補正の内容】
【考案の詳細な説明】
【技術分野】
【０００１】  この考案は、炬燵やテーブルとうに使用して使われたときに、一部の側面の部分を汚した場合に、簡易に一部側の面の掛布団とうを着脱して家庭内の洗濯機とうを用いても容易に洗う事が出来る着脱形掛布団又は布団用カバー及びテーブルカバーに関するものである。
【背景技術】
【０００２】  従来は、掛布団全体を覆うカバーを掛けて、カバーのみを洗うことで、本体の布団とうが汚れにくくすることで、本体は洗わないようにしていた。
【考案の開示】
【考案が解決しようとする課題】
【０００３】  そのために次のような問題点があった。  炬燵やテーブルとうに掛布団とうの使用にあたっては上部の面にはテーブル板などがあり、布団とうの上部面は、液もの等をこぼした場合でも汚れにくく、汚れるところは四方の面に当る裾側の側面部が汚れ、又汚れるにあたっては、掛布団とう全部の面を汚す事は少なく、側面の一部分を汚すことが多い。本考案は以上の問題点を解決する為になされたものである。
【課題を解決するための手段】
【０００４】  天板掛布団表地に巾側面着脱掛布団表地と長側面着脱掛布団表地を設けた後に、巾側面着脱掛布団表地と長側面着脱掛布団表地を面ファスナーによって係止するように装着し一体化した掛布団とうの形状になる着脱形掛布団又は布団用カバー及びテーブルカバーである。
【考案の効果】
【０００５】  四面の単独からなる着脱掛布団の構成から成る為に、汚れた側面着脱掛布団表地のみを天板掛布団表地から簡易に着脱できる。
【考案を実施するための最良の形態】
【０００６】  以下本考案の実施について説明する。  （イ）天板掛布団表地（１）に巾側面ファスナー掛部（４）（４）と長側面ファスナー掛部（５）（５）を設け、巾側面着脱掛布団表地（２）（２）の側面外部にはみだすように左面ファスナー（６）と右面ファスナー（７）を設け、巾側面着脱掛布団表地（２）の上部の箇所にゴム通し縫袋部（８）を設け、ゴム通し縫袋部（８）の中にゴムを設け巾側面着脱掛布団裏地（９）の上部に巾側裏地面ファスナー（１０）を設ける。  （ロ）長側面着脱掛布団表地（１１）の上部の箇所にゴム通し縫袋部（１２）を設け、ゴム通し縫袋部（１２）の中にゴム設け、長側面着脱掛布団裏地（１３）の側面内側に長側左面ファスナー（１４）と長側右面ファスナー（１５）を設け、長側面着脱掛布団裏地（１３）の上部に長側裏地面ファスナー（１６）を設ける。  （ハ）天板掛布団表地（１）の左右に設けた巾側面ファスナー掛部（４）（４）に巾側面着脱掛布団裏地（９）の上部に設けた巾側裏地面ファスナー（１０）を係止させて巾側面着脱掛布団裏地（９）を天板掛布団表地（１）の左右に設け固定させる。  （二）天板掛布団表地（１）に設けた長側面ファスナー掛部（５）（５）に長側面着脱掛布団裏地（１３）の上部に設けた長側裏地面ファスナー（１６）を係止させて長側面着脱掛布団裏地（１３）を天板掛布団表地（１）の左右に設け固定させる。  （ホ）巾側面着脱掛布団表地（２）の側面に設けられた左面ファスナー（６）と右面ファスナー（７）に長側面着脱掛布団裏地（１３）の側面に設けられた長側左面ファスナー（１４）と長側右面ファスナー（１５）を重着するように固定し、天板掛布団表地（１）に面ファスナーにより巾側面着脱掛布団表地（２）と長側面着脱掛布団表地（１１）を保持するように設ける。  （ヘ）天板掛布団表地（１）に巾側面着脱掛布団表地（２）と長側面着脱掛布団表地（１１）を設けた後に、巾側面着脱掛布団表地（２）と長側面着脱掛布団表地（１１）を面ファスナーによって係止させることにより一体化した掛布団とうの形状になる着脱形掛布団又は布団用カバー及びテーブルカバーになる。
【図面の簡単な説明】
【０００７】
【図１】本考案の実施例を示す平面図
【図２】本考案の分解状態を示す斜視図
【図３】本考案の分解状態を示す斜視図
【図４】本考案の分解状態を示す斜視図
【図５】本考案の分解状態を示す斜視図
【図６】本考案の分解状態を示す斜視図
【符号の説明】
【０００８】  １  天板掛布団表地  ２  巾側面着脱掛布団表地  ３  長側面着脱掛布団表地  ４  巾側面ファスナー掛部  ５  長側面ファスナー掛部  ６  左巾側面ファスナー  ７  右巾側面ファスナー  ８  ゴム通し縫袋部  ９  巾側面着脱掛布団裏地１０  巾側裏地面ファスナー１１  長側面着脱掛布団表地１２  ゴム通し縫袋部１３  長側面着脱掛布団裏地１４  長側左面ファスナー１５  長側右面ファスナー１６  長側裏地面ファスナー
【手続補正３】
【補正対象書類名】図面
【補正対象項目名】全図
【補正方法】変更
【補正の内容】
【図１】
0003121253.tif 000004
【図２】
0003121253.tif 000005
【図３】
0003121253.tif 000006
【図４】
0003121253.tif 000007
【図５】
0003121253.tif 000008
【図６】
0003121253.tif 000009